(57)【要約】      （修正有）【課題】ベッドの周縁部に設けられたサイドレールに被せた際の安定性を向上できると共に、例えば、リモコン、携帯、書物、薬等の収納を容易にできるサイドレール用カバーを提供する。【解決手段】それぞれ厚みが２ｍｍ〜７ｍｍで独立気泡を有する一側及び他側のゴムシート２１、２２を用いて形成された下部開放の袋体１１を、ベッドの周縁部に設けられたサイドレール１３に被せて使用するサイドレール用カバー１０であり、少なくとも一側のゴムシート２１の外側表面には雌状面ファスナー２５が設けられ、この雌状面ファスナー２５の表面には、雌状面ファスナー２５に係止可能な雄状面ファスナーが設けられた収納部２７〜３０が、取付け取外し可能になっている。【選択図】図２
0003225276.tif 000002
【実用新案登録請求の範囲】
【請求項１】
それぞれ厚みが２ｍｍ〜７ｍｍで独立気泡を有する一側及び他側のゴムシートを用いて形成された下部開放の袋体を、ベッドの周縁部に設けられたサイドレールに被せて使用するサイドレール用カバーにおいて、
少なくとも前記一側のゴムシートの外側表面には雌状面ファスナーが設けられ、該雌状面ファスナーの表面には、該雌状面ファスナーに係止可能な雄状面ファスナーが設けられた収納部が、取付け取外し可能になっていることを特徴とするサイドレール用カバー。
【請求項２】
請求項１記載のサイドレール用カバーにおいて、前記サイドレールに接する前記袋体の内側表面には滑止め突起が多数設けられていることを特徴とするサイドレール用カバー。
【請求項３】
請求項１又は２記載のサイドレール用カバーにおいて、前記雌状面ファスナーは、前記一側のゴムシートに貼着された合成繊維からなるジャージ生地Ａに植設され、前記他側のゴムシートには合成繊維からなるジャージ生地Ｂが設けられていることを特徴とするサイドレール用カバー。
【請求項４】
請求項１〜３のいずれか１項に記載のサイドレール用カバーにおいて、前記収納部は、両側部及び下部が閉塞された内側及び外側のゴムシートを有し、前記内側のゴムシートの露出面には前記雄状面ファスナーが設けられ、前記外側のゴムシートの露出面は合成繊維からなるジャージ生地Ｃで補強されていることを特徴とするサイドレール用カバー。
【請求項５】
請求項１〜３のいずれか１項に記載のサイドレール用カバーにおいて、前記収納部は、１枚のゴムシートからなって、該ゴムシートの内側の両側部及び下部には前記雄状面ファスナーが設けられ、該ゴムシートの外側は合成繊維からなるジャージ生地Ｃで補強されていることを特徴とするサイドレール用カバー。
【請求項６】
請求項１〜３のいずれか１項に記載のサイドレール用カバーにおいて、前記収納部は、長手方向両側に前記雄状面ファスナーが設けられた長方形の生地Ｄを有し、該生地Ｄの長手方向中央部と該生地Ｄで覆われた前記雌状面ファスナーの表面との間に、前記生地Ｄの幅方向に貫通した挿通空間が形成されることを特徴とするサイドレール用カバー。
【請求項７】
請求項１〜６のいずれか１項に記載のサイドレール用カバーにおいて、前記雌状面ファスナーの表面には前記収納部が複数取付けられ、該各収納部の外側表面に、色彩又は記号による識別表示がなされていることを特徴とするサイドレール用カバー。
【考案の詳細な説明】
【技術分野】
【０００１】
本考案は、ベッドの周縁部に設けられたサイドレール（ヘッドボードやフットボードも含む）に被せられるサイドレール用カバーに関する。
【背景技術】
【０００２】
家庭又は病院等で使用するベッドには、使用者の転落防止や寝具のずれ落ち防止を目的に、ベッドの側方にサイドレールが設けられている。特に、サイドレールが金属ロッド製の格子となっている場合、十分な強度を有し軽量ではあるが、ベッドの使用者が就寝中にサイドレール内に足や手を入れる、場合によっては頭を打つ等の事故が発生することがある。
【０００３】
そこで、例えば、特許文献１に記載のように、下端を開放して袋状に形成したカバー本体をサイドレールに被せて使用する側柵用カバー部材が提案されている。この側柵用カバー部材には、カバー本体をサイドレールに被せた後の装着安定性を向上させるため、カバー本体の下端の開放部の端部やカバー本体の上端縁の近傍に、カバー本体の対向する内面同士を固着する面ファスナーが設けられている。
【先行技術文献】
【特許文献】
【０００４】
【特許文献１】特開２０１０−２２１０１４号公報
【考案の概要】
【考案が解決しようとする課題】
【０００５】
しかしながら、カバー本体は、例えば、布製であり、サイドレールから外れ易いため、更なる改善が望まれていた。
また、ベッドの使用者は、主としてベッド上で生活するため、例えば、ベッド上でテレビの観賞、携帯（スマートフォン等）の使用、読書（本、新聞、雑誌等の書物）、薬の服用等を行っている。このため、テレビのリモコン、携帯、書物、薬等がベッド上に散乱することは好ましくなく、また、これらの使用前後にその都度、ベッドとは異なる位置に配置された収納ケースから取出したり、収納ケースへ収納したりするには労力を要する。
【０００６】
本考案はかかる事情に鑑みてなされたもので、ベッドの周縁部に設けられたサイドレールに被せた際の安定性を向上できると共に、例えば、リモコン、携帯、書物、薬等の収納を容易にできるサイドレール用カバーを提供することを目的とする。
【課題を解決するための手段】
【０００７】
前記目的に沿う本考案に係るサイドレール用カバーは、それぞれ厚みが２ｍｍ〜７ｍｍで独立気泡を有する一側及び他側のゴムシートを用いて形成された下部開放の袋体を、ベッドの周縁部に設けられたサイドレールに被せて使用するサイドレール用カバーにおいて、
少なくとも前記一側のゴムシートの外側表面には雌状面ファスナーが設けられ、該雌状面ファスナーの表面には、該雌状面ファスナーに係止可能な雄状面ファスナーが設けられた収納部が、取付け取外し可能になっている。
【０００８】
本考案に係るサイドレール用カバーにおいて、前記サイドレールに接する前記袋体の内側表面に滑止め突起を多数設けることができる。
【０００９】
本考案に係るサイドレール用カバーにおいて、前記雌状面ファスナーは、前記一側のゴムシートに貼着された合成繊維からなるジャージ生地Ａに植設され、前記他側のゴムシートには合成繊維からなるジャージ生地Ｂが設けられているのがよい。
【００１０】
本考案に係るサイドレール用カバーにおいて、前記収納部は、両側部及び下部が閉塞された内側及び外側のゴムシートを有し、前記内側のゴムシートの露出面には前記雄状面ファスナーが設けられ、前記外側のゴムシートの露出面は合成繊維からなるジャージ生地Ｃで補強されているのがよい。
【００１１】
本考案に係るサイドレール用カバーにおいて、前記収納部は、１枚のゴムシートからなって、該ゴムシートの内側の両側部及び下部には前記雄状面ファスナーが設けられ、該ゴムシートの外側は合成繊維からなるジャージ生地Ｃで補強されているのがよい。
【００１２】
本考案に係るサイドレール用カバーにおいて、前記収納部は、長手方向両側に前記雄状面ファスナーが設けられた長方形の生地Ｄを有し、該生地Ｄの長手方向中央部と該生地Ｄで覆われた前記雌状面ファスナーの表面との間に、前記生地Ｄの幅方向に貫通した挿通空間が形成されるのがよい。
【００１３】
本考案に係るサイドレール用カバーにおいて、前記雌状面ファスナーの表面には前記収納部が複数取付けられ、該各収納部の外側表面に、色彩又は記号による識別表示がなされているのがよい。
【考案の効果】
【００１４】
本考案に係るサイドレール用カバーは、下部開放の袋体を備えているので、ベッドの周縁部に設けられたサイドレール（ヘッドボードやフットボードも含む）に袋体を被せるだけで、サイドレール用カバーの取付けが終了する。そして、袋体は一側及び他側のゴムシートを用いて形成され、袋体（ゴムシート）の内側表面がサイドレールに接するため、袋体はサイドレールに対してずれにくく外れにくいという利点があり、サイドレール用カバーをサイドレールに被せた際の安定性を向上できる。
更に、少なくとも一側のゴムシートの外側表面に設けられた雌状面ファスナーの表面には、雄状面ファスナーが設けられた収納部が、取付け取外し可能になっているので、この収納部に、例えば、リモコン、携帯、書物、薬等を収納できる。このため、これらがベッド上に散乱するおそれがなく、ベッド上の環境を良好な状態に維持できると共に、これらの取出しと収納を容易にできる。
【００１５】
特に、雌状面ファスナーを、一側のゴムシートに貼着された合成繊維からなるジャージ生地Ａに植設した場合、この雌状面ファスナーをベッドの内側（床板側）に向けて配置することで、ベッドの使用者による収納部の使用が容易になる。なお、雌状面ファスナーは雄状面ファスナーよりも肌触りがよいため、使用者が雌状面ファスナーに触れても不快感を低減できる。
また、雌状面ファスナーの表面に収納部を複数取付け、各収納部の外側表面に、色彩又は記号による識別表示がなされる場合、例えば、同じ種類の薬を、識別表示がなされた各収納部にそれぞれ収納することで、朝、昼、晩の飲み分け等を容易にできる。
【図面の簡単な説明】
【００１６】
【図１】本考案の一実施の形態に係るサイドレール用カバーの使用状況の説明図である。
【図２】（Ａ）、（Ｂ）はそれぞれ同サイドレール用カバーの一部切欠き背面図、正面図である。
【図３】図２（Ａ）のａ−ａ矢視断面図である。
【図４】（Ａ）〜（Ｃ）はそれぞれ本考案の一実施の形態に係るサイドレール用カバーの第１の収納部の正面図、背面図、平面図、（Ｄ）〜（Ｆ）はそれぞれ第２の収納部の正面図、背面図、平面図、（Ｇ）、（Ｈ）はそれぞれ第３の収納部の正面図、平面図である。
【考案を実施するための形態】
【００１７】
続いて、添付した図面を参照しつつ、本考案を具体化した実施の形態につき説明し、本考案の理解に供する。
図１、図２（Ａ）、（Ｂ）に示すように、本考案の一実施の形態に係るサイドレール用カバー１０は、下部開放の袋体１１をベッド１２の両側部（周縁部の一例）に配置されたサイドレール（立設物の一例）１３に被せて使用するカバーであり、サイドレール１３に被せた際の安定性を向上できると共に、例えば、リモコン、携帯、書物、薬等の収納を容易にできるものである。
以下、詳しく説明する。
【００１８】
ベッド１２は、例えば、家庭、病院、介護施設等で使用されるものである。
具体的には、ベッド１２は、キャスター型の脚部１４で支持されたメインフレーム１５と、このメインフレーム１５上に配置された底板（図示せず）と、この底板上に載置されたマット１６と、メインフレーム１５の長手方向の両側にそれぞれ配置されたヘッドボード１７及びフットボード１８と、メインフレーム１５の両側部に配置したサイドフレーム１９に立設されたサイドレール１３とを有している。なお、脚部は、キャスターが無いものでもよく、また、サイドレール１３は、左右両側に２つずつ設け、支柱２０によりサイドフレーム１９に立設されているが、この構成に限定されるものではない。
【００１９】
図２、図３に示すように、袋体１１は、使用時に、ベッド１２の内側（即ち、床板側）に向けて配置されるゴムシート（一側のゴムシート）２１と、ベッド１２の外側（即ち、床板側とは反対側）に向けて配置されるゴムシート（他側のゴムシート）２２を用い、この２枚のゴムシート２１、２２の上端部同士及び両側端部同士を、接着及び縫合のいずれか一方又は双方を行うことにより、偏平筒状（サイドレール１３の横幅よりも僅少の差で幅狭又は同程度）に形成されたものである。
このように、袋体１１を偏平筒状に形成することで、袋体１１を上方からサイドレール１３に被せることにより、袋体１１をサイドレール１３の外形状に沿って変形（伸び縮み）させながら被せることができる。
【００２０】
袋体１１を形成するゴムシート２１、２２の厚みは、２ｍｍ〜７ｍｍ（好ましくは、下限が３ｍｍ、上限が６．５ｍｍ）である。
これにより、ゴムシート２１、２２を用いて形成されるサイドレール用カバー１０に、ベッド１２の使用者の体が当たった際は、ゴムシート２１、２２が圧縮変形して衝撃力を吸収し、圧縮変形したゴムシートが反発（変形回復）するため、ベッド１２の使用者の体を押し返す。
このため、サイドレール１３にサイドレール用カバー１０を取付けることで、サイドレール１３に衝撃力吸収性とクッション性を持たせることが可能になる。
【００２１】
ゴムシート２１、２２の独立気泡の直径は０．０５ｍｍ〜１ｍｍ（好ましくは、下限が０．１ｍｍ、上限が０．８ｍｍ）、気泡率は６０〜９５％（好ましくは、下限が７０％、上限が９０％）である。
ここで、ゴムシートの独立気泡の直径が０．０５ｍｍ未満又は気泡率が６０％未満の場合、ゴムシートが押圧されても変形し難く（柔軟性が過小になって）、ゴムシートからの反発力が過大となる（衝撃吸収性とクッション性が過小になる）ため好ましくない。一方、ゴムシートの独立気泡の直径が１ｍｍ超又は独立気泡の気泡率が９５％超の場合、ゴムシートが押圧されると容易に変形して（柔軟性が過剰になって）、ゴムシートから反発力が得られなくなる（衝撃吸収性とクッション性が過小になる）ため好ましくない。
【００２２】
袋体１１のサイドレール１３に接する内側表面（ゴムシート２１、２２の対向面）には、図２（Ａ）に示すように、例えば、シャークスキン加工により多数の滑止め突起２３を設けるのが好ましい。この滑止め突起２３は、例えば、平面視して一辺の長さが１〜２ｍｍの正方形状であって、突出高さが０．５〜１．５ｍｍである。
上記したように、袋体１１はサイドレール１３の外形状に沿って変形するので、袋体１１の内側表面（即ち、ゴムシート２１、２２の内側表面）、更には、滑止め突起２３がサイドレール１３の表面に密接して、サイドレール１３に対する袋体１１のずれを防止することができる。なお、袋体１１の下端の開放部の端部や高さ方向中央部に、袋体１１の対向する内面同士を固着する面ファスナー（雌状面ファスナーと雄状面ファスナー）を設けて、袋体１１のサイドレール１３に対する固定（取付け）を補強することもできる。
【００２３】
図２（Ａ）、図３に示すように、ゴムシート２１の外側全表面には、合成繊維からなるジャージ生地（ジャージ生地Ａの一例）２４が、ゴムシート２２の外側全表面には、合成繊維からなるジャージ生地（ジャージ生地Ｂの一例）２４ａが、接着及び縫合のいずれか一方又は双方により設けられ（貼着され）、補強されている。この合成繊維には、例えば、ナイロン繊維、ポリエステル繊維、ポリプロピレン中空糸繊維、及び、ポリエチレン繊維のいずれか１を使用できるが、特に、ポリエチレン繊維等の撥水性に優れた繊維を用いることで、袋体の表面の乾燥状態を維持することが容易になると共に、洗浄後の乾燥も容易となる。また、各ジャージ生地２４、２４ａは、厚みが０．３〜２ｍｍ程度であり、ゴムシート２１、２２の変形に合わせて伸び縮みすることができるため、ゴムシート２１、２２の表面からジャージ生地２４、２４ａが分離する（剥離する）ことを防止できる。
【００２４】
ゴムシート２１に貼着されたジャージ生地２４の外側表面には、図１、図２（Ｂ）、図３に示すように、多数の係合素子で構成した雌状面ファスナー（面状ファスナー雌片）２５が、接着及び縫合のいずれか一方又は双方により設けられている（植設されている）。この雌状面ファスナー２５を構成する係合素子は、例えば、ループ状又はアーチ状となった従来公知のものであり、後述する雄状面ファスナー（面状ファスナー雄片）２６を構成するフック部（例えば、鉤状又は矢印「↑」状）が係止可能なものである。
このように、ゴムシート２１に貼着されたジャージ生地２４の外側表面に、雄状面ファスナー２６よりも肌触りがよい雌状面ファスナー２５を設けることで、使用者が触れても不快感を低減できる。
【００２５】
上記した雌状面ファスナー２５の表面には、係合素子に係止可能なフック部で構成した雄状面ファスナー２６が設けられた複数の収納部２７〜３０が、取付け取外し可能になっている。以下、図４（Ａ）〜（Ｈ）を参照しながら説明する。
収納部２７は、図４（Ａ）〜（Ｃ）に示すように、正面視して長方形状（正方形状でもよい）に形成された上部開放の袋状（有底）のものである。具体的には、両側部及び下部が閉塞された内側及び外側のゴムシート２７ａ、２７ｂ（ゴムシート２１、２２と同じ素材）を有し、外側のゴムシート２７ｂの露出面が合成繊維からなるジャージ生地２７ｃ（ジャージ生地Ｃ：ジャージ生地２４、２４ａと同じ素材）で補強されている。内側のゴムシート２７ａの露出面には雄状面ファスナー２６が取付け固定され、雌状面ファスナー２５に取付け取外し可能になっている。なお、ここでは、１枚の長方形状の雄状面ファスナー２６を使用した場合について説明したが、収納部２７が雌状面ファスナー２５に安定して取付けられれば、雄状面ファスナーの枚数や形状は特に限定されるものではない。
【００２６】
収納部２８は、図４（Ｄ）〜（Ｆ）に示すように、正面視して長方形状（正方形状でもよい）に形成された１枚のゴムシート３１（ゴムシート２１、２２と同じ素材）からなり、このゴムシート３１の外側（雌状面ファスナー２５との対向側とは反対側）の全表面が合成繊維からなるジャージ生地３１ａ（ジャージ生地Ｃ：ジャージ生地２４、２４ａと同じ素材）で補強されている。このゴムシート３１の内側（雌状面ファスナー２５との対向側）の両側部及び下部には雄状面ファスナー２６が取付け固定され、雌状面ファスナー２５に取付け取外し可能になっている。これにより、図４（Ｆ）に示すように、収納部２８（ゴムシート）と、この収納部２８で覆われた雌状面ファスナー２５の表面との間に、上部開放の収納空間３２が形成される。
なお、図１、図２（Ｂ）に示す収納部２９は、上記した収納部２８のサイズを小さくしたものであり、その基本構成（雄状面ファスナーの取付け位置等）は同一である。
【００２７】
収納部３０は、図４（Ｇ）、（Ｈ）に示すように、例えば、布や化学繊維等で構成される正面視して長方形状の生地（生地Ｄの一例）３３を有し、その内側（雌状面ファスナー２５との対向側）の長手方向両側に雄状面ファスナー２６が取付け固定され、雌状面ファスナー２５に取付け取外し可能になっている。これにより、図４（Ｈ）に示すように、生地３３の長手方向中央部と、この生地３３で覆われた雌状面ファスナー２５の表面との間に、生地３３の幅方向（長手方向とは直交する方向）に貫通した挿通空間３４が形成される。
従って、この挿通空間３４に、各種コード３５（例えば、ベッドとその操作盤を接続するコード、携帯電話の充電用のコード等）を挿通して固定することにより、例えば、使用者がコードに引っ掛かることを抑制、更には、防止でき、また、挿通空間３４に歯ブラシ等の棒状物を挿通して固定することもできる。
【００２８】
上記した各収納部２７〜２９の形状は全て正面視して長方形状であるが、収納する対象物に応じて、各収納部の正面視した形状を三角形等の多角形状や半円形状等にすることもできる。
また、上記した各収納部２７〜３０の外側表面に、色彩又は記号による識別表示がなされることが好ましい。ここで、色彩には、例えば、赤、青、黄、緑等を使用でき、記号には、例えば、絵柄や文字（日本語やアルファベット、ギリシャ文字）、数字等を使用できる。
これにより、各収納部２７〜２９に、例えば、リモコン、携帯、書物、薬等のいずれを収納するか、収納部３０に、例えば、棒状物、コード等のいずれを挿通させるかを予め決めておくことで、生理整頓が容易になり、ベッド１２上の環境を良好な状態に維持できる。また、使用者のみならず、例えば、介護者による片付けの手助けも容易になる。
【００２９】
続いて、本考案の一実施の形態に係るサイドレール用カバー１０の使用方法について説明する。
本考案に係るサイドレール用カバー１０は、下部開放の袋体１１を備えているので、袋体１１を上方からサイドレール１３に被せるだけで、袋体１１内にサイドレール１３を挿入することができ、サイドレール１３へのサイドレール用カバー１０の取付けが終了する。そして、袋体１１を構成するゴムシート２１、２２の内側表面（更には、多数の滑止め突起２３）が、サイドレール１３の表面に当接することにより、ゴムシート２１、２２はサイドレール１３に対してずれにくくなって、サイドレール用カバー１０を使用する際に、サイドレール１３に対してサイドレール用カバー１０を仮止めする必要がなくなる。このため、サイドレール用カバー１０のサイドレール１３に対する装着及び取外しが容易となる。
【００３０】
ここで、サイドレール１３へのサイドレール用カバー１０の取付けは、袋体１１の雌状面ファスナー２５が設けられた側、即ち、収納部２７〜３０が取付けられた側が、ベッド１２の内側を向くように行われる。
これにより、ベッド１２の使用者は、例えば、雌状面ファスナー２５に複数の収納部２７〜３０を取付け、この収納部２７〜２９に、例えば、リモコン、携帯、書物、薬等を収納し、収納部３０に各種コード３５や歯ブラシ等の棒状物を挿通できる。なお、収納部２７〜３０は、介護者が予め取付けておくこともでき、必要に応じて、使用者又は介護者が取外すこともできる。また、取付ける収納部は１つでもよく、収納部を複数取付けてもよい。
【００３１】
従って、本考案のサイドレール用カバー１０を使用することで、サイドレール１３に被せた際の安定性を向上できると共に、例えば、リモコン、携帯、書物、薬等の収納を容易にできる。
【００３２】
以上、本考案を、実施の形態を参照して説明してきたが、本考案は何ら上記した実施の形態に記載の構成に限定されるものではなく、実用新案登録請求の範囲に記載されている事項の範囲内で考えられるその他の実施の形態や変形例も含むものである。例えば、前記したそれぞれの実施の形態や変形例の一部又は全部を組合せて本考案のサイドレール用カバーを構成する場合も本考案の権利範囲に含まれる。
前記実施の形態においては、サイドレール用カバーを、サイドレールに被せて使用する場合について説明したが、ヘッドボード又はフットボードに被せて使用することもでき、また、サイドレール用カバーを複数準備して、サイドレール、ヘッドボード、及び、フットボードのいずれか２以上に被せて使用することもできる。
【００３３】
また、前記実施の形態においては、サイドレール用カバーを、ベッドの内側に雌状面ファスナー（収納部）が向くように（外側にジャージ生地が向くように）配置した場合について説明したが、ベッドの外側に雌状面ファスナー（収納部）が向くように（内側にジャージ生地が向くように）配置することもできる。また、袋体を形成する両側のゴムシートの各外側表面に、合成繊維からなるジャージ生地を介して雌状面ファスナーをそれぞれ設け、ベッドの内側と外側でそれぞれ収納部を取付け取外し可能にすることもできる。これにより、例えば、介護者（看護師等）による収納部の利用も容易になる。
そして、前記実施の形態においては、収納部を、ジャージ生地で補強したゴムシートで構成した場合について説明したが、雌状面ファスナーとの対向側（対向面）に雄状面ファスナーが設けられていれば、収納部の構成（材質等）は特に限定されるものではない。
【符号の説明】
【００３４】
１０：サイドレール用カバー、１１：袋体、１２：ベッド、１３：サイドレール、１４：脚部、１５：メインフレーム、１６：マット、１７：ヘッドボード、１８：フットボード、１９：サイドフレーム、２０：支柱、２１、２２：ゴムシート、２３：滑止め突起、２４：ジャージ生地、２４ａ：ジャージ生地、２５：雌状面ファスナー、２６：雄状面ファスナー、２７〜３０：収納部、２７ａ、２７ｂ：内側、外側のゴムシート、２７ｃ：ジャージ生地、３１：ゴムシート、３１ａ：ジャージ生地、３２：収納空間、３３：生地、３４：挿通空間、３５：コード
【図１】
0003225276.tif 000003
【図２】
0003225276.tif 000004
【図３】
0003225276.tif 000005
【図４】
0003225276.tif 000006